(57)【要約】【課題】カード部材の挿入位置を容易に認識することができるコネクタを提供する。【解決手段】一端面に挿入口２１を有し、挿入されたカード部材１を収容するハウジングを備えたコネクタ２において、ハウジングの上面に形成された開口部２２と、ハウジングの内部の開口部２２が形成された面側に一端が固定され、他端側が開口部２２からハウジングの外部に引き出された、可撓性を有したシート部材３とを備え、シート部材３は、挿入口２１から挿入されたカード部材１に当接されてハウジングの内部に引き込まれることにより、カード部材１の挿入量に応じて開口部２２からの引き出し量が変化するようにしたので、ユーザ（作業者）はコネクタ２に搭載したシート部材３の引き出し量（突出量）を確認することにより、カード部材１の挿入位置を容易に認識することができ、カード部材１のコネクタ２への挿入不完全を防止することができる。【選択図】図１
2014207139.tif 000002
【特許請求の範囲】
【請求項１】
一端面に挿入口を有し、前記挿入口から挿入されたカード部材を収容するハウジングを備えたコネクタにおいて、
前記ハウジングの前記カード部材の挿入方向に沿った面に形成された開口部と、
前記ハウジングの内部の前記開口部が形成された面側に一端が固定され、他端側が前記開口部から前記ハウジングの外部に引き出された、可撓性を有したシート部材とを備え、
前記シート部材は、
前記挿入口から挿入された前記カード部材に当接されて前記ハウジングの内部に引き込まれることにより、前記カード部材の挿入量に応じて前記開口部からの引き出し量が変化することを特徴とするコネクタ。
【請求項２】
前記シート部材に前記開口部からの引き出し量の指標となるマークを設けたことを特徴とする請求項１記載のコネクタ。
【請求項３】
前記シート部材は、前記カード部材が当接する部位がそれ以外の部位よりも摩擦係数が高いことを特徴とする請求項１または請求項２記載のコネクタ。
【請求項４】
前記シート部材は、前記カード部材が当接する部位に当該シート部材よりも摩擦係数の高い部材が貼付されていることを特徴とする請求項３記載のコネクタ。
【請求項５】
前記シート部材は、前記カード部材が当接する部位に摩擦係数を上げる表面処理が施されていることを特徴とする請求項３記載のコネクタ。
【請求項６】
前記シート部材に設けられ、前記開口部の開口縁部に当接して、前記カード部材が挿入される前に前記開口部から前記シート部材が前記ハウジングの内部に引き込まれることを規制し、挿入された前記カード部材が前記ハウジングの内部で当接して前記シート部材を引き込むと、これに伴い変形して前記シート部材とともに引き込まれるストッパを備えたことを特徴とする請求項１から請求項５のうちのいずれか１項記載のコネクタ。
【発明の詳細な説明】
【技術分野】
【０００１】
この発明は、ＳＤカードやＦＦＣ等のカード部材を挿入するコネクタに関するものである。
【背景技術】
【０００２】
ＳＤカード等のメモリカードや、ＦＦＣ（フレキシブルフラット基板）やＦＰＣ（フレキシブルプリント基板）等を含むカード部材は、それぞれ専用のコネクタに挿入されて接続され、信号や情報のやりとりが行われるようになっている。
この際、例えば、特許文献１に示すように、カード部材をワンプッシュすることでコネクタの挿入完了位置まで差し込むものが一般的である。
【先行技術文献】
【特許文献】
【０００３】
【特許文献１】特開２００４−１５２５４１号公報
【発明の概要】
【発明が解決しようとする課題】
【０００４】
しかしながら、例えば特許文献１に示すようなコネクタでは、ワンプッシュが欠落した場合、挿入が未完了（不完全）のままとなってしまうこととなるが、コネクタからのカード部材の突出量のみで挿入位置（挿入が完了しているか未完了の状態か）を判断することは難しい、という課題があった。
【０００５】
この発明は、上記のような課題を解決するためになされたものであり、カード部材の挿入位置を容易に認識することができるコネクタを提供することを目的とする。
【課題を解決するための手段】
【０００６】
上記目的を達成するため、この発明は、一端面に挿入口を有し、前記挿入口から挿入されたカード部材を収容するハウジングを備えたコネクタにおいて、前記ハウジングの前記カード部材の挿入方向に沿った面に形成された開口部と、前記ハウジングの内部の前記開口部が形成された面側に一端が固定され、他端側が前記開口部から前記ハウジングの外部に引き出された、可撓性を有したシート部材とを備え、前記シート部材は、前記挿入口から挿入された前記カード部材に当接されて前記ハウジングの内部に引き込まれることにより、前記カード部材の挿入量に応じて前記開口部からの引き出し量が変化することを特徴とする。
【発明の効果】
【０００７】
この発明によれば、コネクタに搭載したシート部材の引き出し量（突出量）を確認することにより、カード部材の挿入位置を容易に認識することができ、カード部材のコネクタへの挿入不完全を防止することができる。
【図面の簡単な説明】
【０００８】
【図１】実施の形態１におけるコネクタにカード部材を挿入する際の、挿入前の状態を示す斜視図である。
【図２】実施の形態１におけるコネクタにカード部材を挿入完了した状態を示す斜視図である。
【図３】実施の形態１におけるコネクタにカード部材を未挿入の（挿入完了していない）状態を示す平面図（上面から見た図）である。
【図４】実施の形態１におけるコネクタにカード部材を挿入完了した状態を示す平面図（上面から見た図）である。
【図５】実施の形態１におけるコネクタの構造を示す模式断面図である。
【図６】実施の形態１におけるコネクタにカード部材が未挿入の（挿入完了していない）状態を示す模式断面図である。
【図７】実施の形態１におけるコネクタにカード部材を挿入完了した状態を示す模式断面図である。
【図８】実施の形態１におけるコネクタからカード部材を排出する際の状態を示す模式断面図である。
【図９】実施の形態２におけるコネクタにカード部材を挿入する際の、挿入前の状態を示す斜視図である。
【図１０】実施の形態２におけるコネクタの別の例の構造を示す模式断面図である。
【発明を実施するための形態】
【０００９】
以下、この発明の実施の形態について、図面を参照しながら詳細に説明する。
実施の形態１．
一般的に、ＳＤカード等のメモリカードや、ＦＦＣ（フレキシブルフラット基板）やＦＰＣ（フレキシブルプリント基板）等を含むカード部材は、それぞれ専用のコネクタに挿入されて接続され、信号や情報のやりとりが行われるようになっている。
【００１０】
例えば、カーナビゲーション装置において、地図データが記憶されているＳＤカードなどのカード部材をコネクタに挿入し、その部分を外部からは見えないようにカバーなどで閉じたり、その手前に他の部品を搭載してからカバーなどで閉じたりして、そのまま製品として出荷する場合がある。
【００１１】
この際、カード部材のコネクタへの挿入が不完全であることに気づかずにカバーなどで閉じてしまうことがあり、そのような場合には、出荷時の検査でカード部材が挿入されていないことに気づき、カバーをはずしてコネクタの手前に搭載した他の部品を取り外してからカード部材を挿入し直して、再度その部品を取り付けてからカバーで閉じるという作業が必要になり、非常に手間がかかり効率が悪い、という問題があった。
【００１２】
そこで、この発明の実施の形態１では、コネクタに搭載したシート部材の引き出し量（突出量）を確認することにより、カード部材の挿入位置を容易に認識することができるようにした。
図１は、実施の形態１におけるコネクタ２にカード部材１を挿入する際の、挿入前の状態を示す斜視図である。
【００１３】
図１に示すように、この実施の形態１のコネクタ２は、一端面にカード挿入口２１を有し、そのカード挿入口２１から挿入されたカード部材１を収容するハウジングを備えるとともに、当該ハウジングのカード部材１の挿入方向に沿った面（図１における上面）に形成された開口部２２と、シート部材３とを備えている。
このシート部材３は、コネクタ２のハウジングの内部の開口部２２が形成された面側に一端が固定され（図５参照）、他端側が開口部２２からコネクタ２のハウジングの外部に引き出されている。すなわち、シート部材３の他端側がコネクタ２の外部に突出して視認できるようになっている。
【００１４】
図２は、実施の形態１におけるコネクタ２にカード部材１を挿入完了した状態を示す斜視図である。
図１に示す状態から、コネクタ２のカード挿入口２１からカード部材１を挿入すると、シート部材３は、そのカード部材１に当接されてコネクタ２のハウジングの内部に引き込まれ、図２に示すように、コネクタ２の外部から視認できるシート部材３の引き出し量（突出量）が少なく（短く）なる。
【００１５】
すなわち、カード部材１がコネクタ２に挿入されると、そのカード部材１の挿入量に応じて、シート部材３のコネクタ２の開口部２２からの引き出し量（突出量）が変化する。そして、そのシート部材３の引き出し量（突出量）により、コネクタ２へのカード部材１の挿入位置が確認できるようになっている。
【００１６】
この際、どれくらいシート部材３の引き出し量（突出量）が少なく（短く）なったら、コネクタ２にカード部材１が挿入完了したのかを明確にするために、シート部材３の表面（上面）には、開口部２２からの引き出し量の指標となるマーク４（図３参照）が設けられている。
【００１７】
図３は、実施の形態１におけるコネクタ２にカード部材１を未挿入の（挿入完了していない）状態を示す平面図（上面から見た図）である。すなわち、図１に示すコネクタ２を上面から見ると、図３に示すように見えている。そして、シート部材３の表面（上面）のマーク４が外部から視認できることにより、カード部材１がコネクタ２に挿入不完全であることがわかる。
【００１８】
また、図４は、実施の形態１におけるコネクタ２にカード部材１を挿入完了した状態を示す平面図（上面から見た図）である。すなわち、図２に示すコネクタ２を上面から見ると、図４のように見えている。そして、シート部材３がコネクタ２のハウジングの内部に引き込まれて、シート部材３の表面（上面）のマーク４がコネクタ２のハウジングの内部に入ってしまって視認できなくなったことにより、カード部材１がコネクタ２に挿入完了していることがわかる。
【００１９】
図５は、実施の形態１におけるコネクタ２の構造を示す模式断面図である。
この図５に示すように、シート部材３の一端が、コネクタ２のハウジングの内部の開口部が形成された面側（上面側）に固定されており、撓みをもたせながらシート部材３の他端側が開口部２２からハウジングの外部に引き出されている。
【００２０】
また、開口部２２からの引き出し量（突出量）の指標となるマーク４は、シート部材３の表面（上面）に貼り付けられたテープ状のものや、印刷されたラインなど、どのような形態のものでもよい。
【００２１】
さらに、図５に示すように、シート部材３の裏面（下面）のカード部材１が当接する部位には、シート部材３よりも摩擦係数の高い部材であるゴムシート５が貼付されており、コネクタ２にカード部材１が挿入された際に、そのカード部材１がゴムシート５に当接して、ゴムシート５が貼付されたシート部材３がコネクタ２のハウジングの内部に引き込まれるようになっている。
【００２２】
なお、シート部材３は、フィルム等のプラスチックシートなど、可撓性のある素材であればどのようなものを用いてもよい。
また、ゴムシート５は、カード部材１が当接した際に、ゴムシート５が貼付されて一体となったシート部材３が、カード部材１の挿入とともにコネクタ２のハウジングの内部に引き込まれる程度の摩擦係数を有していればよい。
【００２３】
なお、ここでは、シート部材３のカード部材１が当接する部位に、ゴムシート５を貼付する場合を例に説明するが、シート部材３において、カード部材１が当接する部位に摩擦係数を上げる表面処理が施されているなど、カード部材１が当接する部位がそれ以外の部位よりも摩擦係数が高ければ、ゴムシート５の貼付に限らず、どのような形態のものであってもよい。
【００２４】
図６は、実施の形態１におけるコネクタ２にカード部材１を途中まで挿入した状態、すなわち、カード部材１が未挿入の（挿入完了していない）状態を示す模式断面図である。
また、図７は、実施の形態１におけるコネクタ２にカード部材１を挿入完了した状態を示す模式断面図である。
【００２５】
図６に示すように、コネクタ２にカード部材１が挿入完了していない状態では、シート部材３の表面（上面）に設けられたマーク４が外部から視認できるが、コネクタ２にカード部材１が挿入完了した状態では、図７に示すように、マーク４がコネクタ２のハウジングの内部に入ってしまって外部からは視認できなくなる。
【００２６】
すなわち、ユーザ（作業者）は、マーク４が見えなくなるまでカード部材１をコネクタ２に挿入すれば、カード部材１が挿入不完全になることを防止することができる。また、マーク４が見えていれば、カード部材１が挿入不完全であると認識することができるので、カード部材１がコネクタ２に挿入完了していないまま、その手前に部品を取り付けてしまったりカバーを閉じてしまったりして、再度部品の取り付け等をやり直す手間がかかることがなく、効率がよい。
【００２７】
また、コネクタ２にカード部材１を挿入完了した状態では、図７に示すように、挿入されたカード部材１の上面部を、シート部材３（ゴムシート５を含む）が上から押さえ圧着した状態になるので、シート部材３は、カード部材１がコネクタ２から抜けないよう固定するロック機構としての機能も備えている。そのため、ゴムシート５は、摩擦係数の高いゴムシートであるほど、有効である。
【００２８】
また、コネクタ２に挿入されたカード部材１は、シート部材３により上面部を上から押さえ付けられる状態になることにより、外部からの振動や衝撃がコネクタ２に加えられたとしても、シート部材３の弾性力により、振動や衝撃を抑制することができる。
【００２９】
なお、カード部材１をコネクタ２から排出する際は、シート部材３の開口部２２から突出している部分をカード差し込み前の状態まで引き出せばよい。
図８は、実施の形態１におけるコネクタ２からカード部材１を排出する際の状態を示す模式断面図である。
【００３０】
図７に示すように、カード部材１をコネクタ２に挿入完了した状態から、カード部材１を排出する際には、コネクタ２の開口部２２から突出しているシート部材３を、図８に示す矢印Ａの方向に引き出すことにより、図８に示すように、シート部材３が引き抜かれて撓み部分がなくなり、カード部材１を押さえていた弾性力が消失する。
【００３１】
これにより、カード部材１の上面部を押さえる圧着力が失われ、カード部材１を固定する保持機構（ロック機構）が機能しなくなるので、カード部材１を容易にコネクタ２から取り出すことが可能となる。
【００３２】
以上のように、この実施の形態１によれば、コネクタに搭載したシート部材の引き出し量（突出量）を確認することにより、カード部材の挿入位置を容易に認識することができ、カード部材のコネクタへの挿入不完全を防止することができる。
【００３３】
実施の形態２．
図９は、実施の形態２におけるコネクタ２にカード部材１を挿入する際の、挿入前の状態を示す斜視図である。なお、実施の形態１で説明したものと同様の構成には、同一の符号を付して重複した説明を省略する。以下に示す実施の形態２では、実施の形態１と比べると、シート部材３がストッパ機構を有している。
【００３４】
実施の形態１では、図５に示すように、シート部材３の一端が、コネクタ２のハウジングの内部の開口部２２が形成された面側に固定されており、撓みをもたせながらシート部材３の他端側が開口部２２からハウジングの外部に引き出されている。しかし、この状態では、シート部材３の撓み量により、カード部材１がコネクタ２に挿入された際に、カード部材１とシート部材３（ゴムシート５を含む）とが当接する位置が常に一定であるとは限らない。
【００３５】
そこで、この実施の形態２では、シート部材３の撓み量が一定になるよう、シート部材３にストッパ機構を設けるようにした。
図９に示すシート部材３は、ストッパ機構の一例として、シート部材３の一部を切り欠いて折り曲げたストッパ３１を備えている。
【００３６】
このストッパ３１は、コネクタ２の開口部２２の開口縁部に当接して、カード部材１がコネクタ２に挿入される前に開口部２２からシート部材３がハウジングの内部に引き込まれることを規制する。また、カード部材１が挿入されて、その挿入されたカード部材１がハウジングの内部で当接してシート部材３を引き込むと、ストッパ３１はそれに伴って変形してシート部材３とともに自然にハウジングの内部に引き込まれるようになっている。
【００３７】
すなわち、ストッパ３１により、カード部材１がコネクタ２に未挿入の時に、シート部材３がそれ以上撓んでコネクタ２のハウジングの内部に入り込んでしまうことを防ぎ、シート部材３の撓み量を一定に保つことができる。
【００３８】
また、図１０は、実施の形態２におけるコネクタ２の別の例の構造を示す模式断面図である。
この例では、図９に示したストッパ３１に代えて、シート部材３の裏面（下面）のカード部材１が当接する部位に貼付されたゴムシート５の一端にストッパ５１を備えている。
【００３９】
このストッパ５１は、シート部材３の裏面（下面）のカード部材１が当接する部位に貼付されたゴムシート５の先端のみ、すなわち、コネクタ２にカード部材１が未挿入の時に開口部２２からコネクタ２の外部に突出している方の端のみ、シート部材３に貼付せずに折り曲げて形成したものである。
【００４０】
この場合にも、ストッパ５１は、コネクタ２の開口部２２の開口縁部に当接して、カード部材１がコネクタ２に挿入される前に開口部２２からシート部材３がハウジングの内部に引き込まれることを規制する。また、カード部材１が挿入されて、その挿入されたカード部材１がハウジングの内部で当接してシート部材３を引き込むと、ストッパ５１はそれに伴って変形してシート部材３とともに自然にハウジングの内部に引き込まれるようになっている。
【００４１】
すなわち、このストッパ５１を採用した場合にも、カード部材１がコネクタ２に未挿入の時に、シート部材３がそれ以上コネクタ２のハウジングの内部に入り込んでしまうことを防ぎ、シート部材３の撓み量を一定に保つことができる。
【００４２】
なお、この実施の形態２では、シート部材３が備えるストッパとして、シート部材３の一部を切り欠いて折り曲げたストッパ３１、または、シート部材３に貼付されてシート部材３と一体型となっているゴムシート５の先端のみを、シート部材３に貼付せずに折り曲げて形成するストッパ５１を例に説明したが、コネクタ２の開口部２２の開口縁部に当接して、カード部材１の未挿入時に、シート部材３がハウジングの内部に引き込まれることを規制してシート部材３の撓み量を一定に保ちつつ、カード部材１を挿入すると、自然にコネクタ２のハウジングの内部へと入っていく程度の強度のものであれば、どのような形態であっても構わない。
【００４３】
以上のように、この実施の形態２によれば、実施の形態１と同様の効果に加え、シート部材がストッパ機構を備えたことにより、カード部材のコネクタへの未挿入時にシート部材の撓み量を一定にし、カード部材がコネクタに挿入された際に、カード部材とシート部材（ゴムシートを含む）とが当接する位置を常に一定にすることができ、カード部材の挿入位置をより正確に認識することが可能となる。
【００４４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４５】
１  カード部材、２  コネクタ、３  シート部材、４  シート部材上のマーク、５  ゴムシート、２１  カード挿入口、２２  開口部、３１，５１  ストッパ。
【図１】
2014207139.tif 000003
【図２】
2014207139.tif 000004
【図３】
2014207139.tif 000005
【図４】
2014207139.tif 000006
【図５】
2014207139.tif 000007
【図６】
2014207139.tif 000008
【図７】
2014207139.tif 000009
【図８】
2014207139.tif 000010
【図９】
2014207139.tif 000011
【図１０】
2014207139.tif 000012